(57)【要約】【課題】左右の風向変更装置の耐久性を向上する。【解決手段】吹出口５は枠体上方又は後方に向かって開口し、吹出口には空気流を枠体上方向と枠体後方向との間で可変するルーバー枠体９を回動自在に取付け、ルーバー枠体は、断面コの字型の下ルーバーと、下ルーバーの下面に略平行で間隔を設けると共に、上部を覆う上ルーバーを設け、上ルーバーと下ルーバーとの間に配置されて左右に回動自在に設けた複数の左右風向板を備え、この左右風向板は前記下ルーバと上ルーバーの間に突設された筒状の下軸受け部と上軸受け部を対向して設け、軸受け部に左右風向板の回転軸１７を挿入して扁平状の左右風向板を回動自在に設け、下軸受け部の表面には多数の溝部１９を形成し、溝部に対向する左右風向板には弾性を備えた凸部２１を設け、左右風向板回動時には前記凸部が溝部乗り越えることで左右風向板の回転位置が定まる左右風向板角度調整手段を設けたものである。【選択図】図２
2014119215.tif 000002
【特許請求の範囲】
【請求項１】
枠体に設けた吸込口と吹出口の間に蒸発器、凝縮器、送風ファンを配置して送風経路を形成し、圧縮機と前記蒸発器、凝縮器等を冷媒配管で接続して冷凍回路を形成し、前記送風ファンの作動によって前記吸込口から吸入した空気を前記蒸発器にて冷却し結露させた後、前記凝縮器にて加熱し乾燥空気を前記吹出口より排出する空気調和機において、前記吹出口は枠体上方又は後方に向かって開口し、吹出口には空気流を枠体上方向と枠体後方向との間で可変するルーバー枠体を回動自在に取付け、このルーバー枠体は、断面コの字型の下ルーバーと、この下ルーバーの下面に略平行で間隔を設けると共に、上部を覆う上ルーバーを設け、この上ルーバーと下ルーバーとの間に配置されて左右に回動自在に設けた複数の左右風向板を備え、この左右風向板は前記下ルーバと上ルーバーの間に突設された筒状の下軸受け部と上軸受け部を対向して設け、この軸受け部に左右風向板の回転軸を挿入して扁平状の左右風向板を回動自在に設け、前記下軸受け部の表面には多数の溝部を形成し、この溝部に対向する左右風向板には弾性を備えた凸部を設け、左右風向板回動時には前記凸部が溝部乗り越えることで左右風向板の回転位置が定まる左右風向板角度調整手段を設けたことを特徴とする空気調和機のルーバー構造。
【発明の詳細な説明】
【技術分野】
【０００１】
この発明は、除湿機などの空気調和機の吹出口に備えた風向を変更するルーバーの構造に関する。
【背景技術】
【０００２】
従来よりこの種のものに於いては、図４で示すように、吹出口の壁面ａに支軸ｂを設け、この支軸ｂの周囲に縦溝ｃ形成し、前記支軸ｂを包囲して嵌合する係合部ｄを備えた左右風向板ｅを設け、前記係合部ｄの内面に備えた突起ｆを前記縦溝ｃに嵌合することでクリック音を発生しながら左右風向板ｅを回動することで、使用者が快適な操作できるものであり、２つの左右風向板ｅと連接部ｇを一体で成型するものであった。（例えば、特許文献１参照）
【先行技術文献】
【特許文献】
【０００３】
【特許文献１】特開２００５−１４７４５５号公報
【発明の概要】
【発明が解決しようとする課題】
【０００４】
ところでこの従来のものでは、左右風向板ｅと連接部ｇを一体で成型するために、左右風向板ｅと支軸ｂは係合部ｄで嵌合するのみであるので、嵌合を強めれば左右風向板ｅの回動が固くなるだけでなく、連接部ｇの強度も必要に成る。また、嵌合を弱めれば、左右風向板ｅと支軸ｂの間のガタつき発生や、左右風向板ｅの脱落等の問題が有り調整がとても難しいものであった。
【課題を解決するための手段】
【０００５】
この発明はこの点に着目し上記欠点を解決する為、特にその構成を、枠体に設けた吸込口と吹出口の間に蒸発器、凝縮器、送風ファンを配置して送風経路を形成し、圧縮機と前記蒸発器、凝縮器等を冷媒配管で接続して冷凍回路を形成し、前記送風ファンの作動によって前記吸込口から吸入した空気を前記蒸発器にて冷却し結露させた後、前記凝縮器にて加熱し乾燥空気を前記吹出口より排出する空気調和機において、前記吹出口は枠体上方又は後方に向かって開口し、吹出口には空気流を枠体上方向と枠体後方向との間で可変するルーバー枠体を回動自在に取付け、このルーバー枠体は、断面コの字型の下ルーバーと、この下ルーバーの下面に略平行で間隔を設けると共に、上部を覆う上ルーバーを設け、この上ルーバーと下ルーバーとの間に配置されて左右に回動自在に設けた複数の左右風向板を備え、この左右風向板は前記下ルーバと上ルーバーの間に突設された筒状の下軸受け部と上軸受け部を対向して設け、この軸受け部に左右風向板の回転軸を挿入して扁平状の左右風向板を回動自在に設け、前記下軸受け部の表面には多数の溝部を形成し、この溝部に対向する左右風向板には弾性を備えた凸部を設け、左右風向板回動時には前記凸部が溝部乗り越えることで左右風向板の回転位置が定まる左右風向板角度調整手段を設けたものである。
【発明の効果】
【０００６】
この発明によれば、左右風向板は前記下ルーバと上ルーバーの間に突設された筒状の下軸受け部と上軸受け部を対向して設け、この軸受け部に左右風向板の回転軸を挿入して扁平状の左右風向板を回動自在に設け、前記下軸受け部の表面には多数の溝部を形成し、この溝部に対向する左右風向板には弾性を備えた凸部を設け、左右風向板回動時には前記凸部が溝部乗り越えることで左右風向板の回転位置が定まる左右風向板角度調整手段を設けたので、左右風向板の回動具合を簡単に調節することができ、安定したクリック感を得ることができると共に、故障や騒音の発生を防止するものである。
【図面の簡単な説明】
【０００７】
【図１】この発明一実施例を示す除湿機の縦断面図
【図２】同ルーバー枠体の分解斜視図。
【図３】同要部拡大側面図。
【図４】従来例を示す要部の分解斜視図。
【発明を実施するための形態】
【０００８】
次にこの発明に係る空気調和機を図面に示された一実施例で説明する。
１は除湿機の枠体で底板２上に前方の前ケース３と後方の後ケース４とを設けて本体の外郭を構成している。
５は前記枠体１背面に形成された吸込口で、前記後ケース４に横長のスリットを多数備えた開口が設けられている。
【０００９】
６は前記枠体１上面から背面上部かけて設けた吹出口で、乾燥空気の吹出方向を上方向から後ろ方向まで自由にかえることができるものである。
前記吸込口５の内側には樹脂製の網や不織布から成り吸入空気に混入するホコリを取り除くフィルタ７を備えている。このフィルタ７の内側にはフィンチューブ式の熱交換器からなる蒸発器８を備え、吸込空気を冷却することにより空気中の水分を結露させ除湿を行う。
【００１０】
前記吹出口６には吹出空気の方向を上方向から後ろ方向の間に自由に角度を変えることができるルーバー枠体９を備えている、このルーバー枠体９は断面コの字型の下ルーバー１０と、この下ルーバ１０の下面１１に略平行で、下面１１と約４０ｍｍの間隔を保って端部１２に係合して上部を覆う上ルーバー１３を設けている。
【００１１】
前記ルーバー枠体８の左右側面には一対の上下回動軸１４を設け、吹出口６の側面に備えた軸受部（図示せず）と上下ルーバモータ（図示せず）によって、除湿機の運転停止時には後ろ側への吹出方向の位置にして、枠体１上面を略平坦にし、洗濯乾燥運転等の際には自動でルーバー枠体８が回動して上方に向けて乾燥空気を吹き出すものである。
【００１２】
前記下ルーバ１０と上ルーバー１３の間に突設した筒状の下軸受け部１５と上軸受け部１６を対向して設け、この軸受け部１５・１６に回転軸１７を挿入して扁平状の左右風向板１８を回動自在に設けている。前記下軸受け部１５の表面には多数の縦溝状の凹凸が形成された溝部１９を設けている。この溝部１９に対向する前記左右風向板１８には、前方に穴２０を設けることで柔軟な弾性を備えた凸部２１を設け、左右風向板１８の回動時には前記凸部２１が溝部１９を乗り越えることでスムーズなクリック感を得ることができ、左右風向板１８が所望の回転位置で確実に停止する左右風向板角度調整手段を備えるものである。また、前記左右風向板１８の回転軸１７は下軸受け部１５と上軸受け部１６に確実に挿入されることで、脱落や故障の危険も極めて少ないものである。
【００１３】
２２は右連接板で、左右風向板２３の上部に備えた連接軸２６と近接する左右風向板２３と略平行に接続され、お互いの左右風向板２３の角度を伝えあうものであり、右側２枚の左右風向板１８を使用者が手動により好みの角度で運転を行うものである。
【００１４】
２３は左連接板で、左右風向板２３の上部に備えた連接軸２４と近接する左右風向板１８と略平行に接続され、お互いの左右風向板１８の角度を伝えあうものであり、右側２枚の左右風向板１８と左側２枚の左右風向板１８は使用者が手動により好みの角度で運転を行うものである。
【００１５】
前記蒸発器８の更に下流には蒸発器８と同じくフィンチューブ式の熱交換器からなる凝縮器２５を備え、蒸発器８にて冷却された空気の加熱を行う。
前記凝縮器２５下流にはシロッコファン型の送風ファン２６及びこのファン２６を駆動するファンモータ２７を設け、前記吸込口５と吹出口６の間に形成した送風経路２８の送風を行うものである。
【００１６】
前記前ケース３の内側でファンモータ２７との間にはケーシング２９を備え、送風を吹出口６側へ導くものである。
また前記凝縮器２５とファン２６の間には効率的にファン２６へ送風を導くために中央に送風口を備えた仕切板３０を設け、蒸発器９の下方には結露水を受けるドレン皿３１を設けている。
３２は一方を前記ドレン皿３１の底面に接続し、他方をドレンタンク３３の上部に位置させた排水路で、前記ドレン皿３１で集めた結露水を前記ドレンタンク３３へ導くものである。
【００１７】
３４は前記吹出口６の内側の送風経路２８に設けられたヒーターで、衣類乾燥時や冬期間に室温が低くなり除湿の効率が低下する事を防止するものであり、消費電力は約４００〜５００Ｗ程である。３５は除湿機運搬用のコの字型の取っ手で、除湿機上面の後ろ側に収納され、使用時には回動して吹出口６上方に位置し運搬を行う。３６は除湿機上面の前方部分に設けられた操作部で運転スイッチ（図示せず）等のスイッチ類と運転ランプ（図示せず）等の表示ランプ類を備えている。３７は前記底板２に固定された圧縮機。
【００１８】
このように、左右風向板１８の回動具合を簡単に調節することができ、安定したクリック感を得ることができると共に、故障や騒音の発生を防止することができるルーバー構造を提供するものである。
【００１９】
また、下軸受け部１５の溝部１９を無くして、左右風向板１８に連動するモーターを取り付けることで、左右風向板１８の回動やスイング動作が可能な高級機種との部品共通化を行うことができるものである。
【符号の説明】
【００２０】
１  枠体
５  吸込口
６  吹出口
９  ルーバー枠体
１０  下ルーバ
１３  上ルーバー
１５  下軸受け部
１６  上軸受け部
１７  回転軸
１８  左右風向板
１９  溝部
２１  凸部
２６  送風ファン
【図１】
2014119215.tif 000003
【図２】
2014119215.tif 000004
【図３】
2014119215.tif 000005
【図４】
2014119215.tif 000006